(57)【要約】【課題】受取人による後払い制度において、承認番号毎に区分したはがきを自動的に計数し、枚数に見合う料金等を印字した受領証を自動作成することにより、同事務作業の省力化と正確化を得る。【解決手段】積載されたシートの枚数を計数する計数手段と、受領証を印字するプリンター手段と、受領相手先コードの入力手段と、入力した相手先コードを直接ないし間接的に参照することにより、外部のコンピュータに登録された相手先名を取得する通信処理手段とを有する。【選択図】　図１ID=005006 HE=156 WI=154 LX=0000 LY=0000>
2004030544.tif 000002
【特許請求の範囲】
【請求項１】
積載されたシートの枚数を計数する計数手段と、受領証を印字するプリンター手段と、受領相手先コードの入力手段と、入力した相手先コードを直接ないし間接的に参照することにより、外部のコンピュータに登録された相手先名を取得する通信処理手段とを有することを特徴とした、計数機能を有する受領証発行装置。
【発明の詳細な説明】
【０００１】
【発明の属する技術分野】
この発明は、主に郵便局等において集配した、はがき等の郵便物の枚数を計数すると共に、この受領証を印字発行するのに適した装置に関する。
【０００２】
【従来の技術】
郵便料金が郵便物の差出人による先払いではなく、受取人による後払いの制度もまた広く一般に利用され、特に雑誌や折り込み広告には、多数の郵便局承認の料金受取人払いのはがきが付いてくる。例えば、雑誌の購入申し込みは、雑誌の中に印刷されている申し込み書に、住所氏名等必要項目を記入し、投函すれば、指定された郵便局に届き、局は承認番号毎にこれを区分計数し、受取人に郵便物を配達すると共に、枚数に見合う料金を受け取り、受領証を渡すことで主要な業務が完結するものである。
【０００３】
従来、特別に大量に取扱われる郵便物に関しては、大型局において専用の郵便物自動区分システムが使用される場合もあるが、多くの料金受取人払い郵便物は依然として、手作業で枚数が点検された後、伝票が作成され、必要な帳簿に転記記載され、受領証もまた手作業で作成されていた。
【０００４】
【発明が解決しようとする課題】
本発明は、上記従来の不便さを解決するものである。つまり、受取人による後払い制度において、承認番号毎に区分したはがきを自動的に計数し、枚数に見合う料金等を印字した受領証を自動作成することにより、同事務作業の省力化と正確化を得ようとするものである。
【課題を解決するための手段】
上述の課題を解決するために、請求項１の発明は、積載されたシートの枚数を計数する計数手段と、受領証を印字するプリンター手段と、受領相手先コードの入力手段と、入力した相手先コードを直接ないし間接的に参照することにより、外部のコンピュータに登録された相手先名を取得する通信処理手段とを有するものである。
【０００５】
【発明の実施形態】
以下、図面等を参考にして、本発明の一実施形態について説明する。図１は、本発明による、計数機能を有する受領証発行装置の主要部の断面図である。
【０００６】
計数されるはがきの用紙１は給紙台３８にセットされる。給紙台３８の上面は略水平面に構成され、給紙ガイド板２が用紙幅を調整可能に立設されている。給紙台３８は左右２組のアングル３７に固定され、アングル３７には軸受け３５が嵌挿され、ガイド軸３６によって上下摺動自在に保持されている。アングル３７はプーリー３４に沿って張られたベルト３２に固定されており、モーター３０のモータープーリー３１の回転により、給紙台３８は上下に移動する。なお、リミットスイッチ３３は給紙台３８の下限位置を検出するためのものである。
【０００７】
フィードローラー１０の表面は摩擦係数が高いゴムで構成されており、モーター２９の駆動力がベルト２８に伝達されることで、フィードローラー１０は回転する。フィードローラー１０の回転はまたベルト８の作用により、給紙ローラー５に伝達されている。給紙ローラー５は、ローラー持部材７により揺動自在に保持されており、給紙台３８を上に移動させた時、最上部の用紙１が給紙ローラー５を若干押し上げた時にローラー支持部材７の動きがセンサー９により検出されるよう構成されている。センサー４は前記用紙１が給紙ローラー５を押し上げた時に、給紙台３８上に用紙があるか否かを検出するためのセンサーである。
【０００８】
分離ローラー３は、フィードローラー１０に加圧されるように軸支されており、内部の一方向回転クラッチの作用により、用紙の搬送方向と逆方向には自在に回転するが、順方向には回転できないよう構成されている。このため、給紙ローラー５とフィードローラー１０によって搬送される用紙は１枚ごとに分離搬送される。また、搬送路を開放したりする度に、分離ローラー３の回転方向の位置は、若干ずれるため、同ローラーの磨耗は全周面に渡り均一化される効果がある。
【０００９】
分離された用紙は次に搬送ローラー２４と従動ローラー１１間に搬送される。モーター２７の回転でベルト２６が駆動され、これにより、搬送ローラー２４、搬送ローラー２３、搬送ローラー２０、排出ローラー１９、および、リジェクトローラー１４が回転駆動され、夫々のローラーに圧接される従動ローラーもまた回転されて用紙が搬送される。用紙センサー１２は搬送ローラー２４のやや後方に位置し、搬送路内に入った用紙の先端を検出する。
【００１０】
搬送切替爪１７は、用紙の搬送方向を切りかえるための部材であって、爪支軸１６を揺動中心として、ソレノイド１３を吸引作動した場合に、用紙の搬送方向を排出ローラー１９側から、リジェクトローラー１４側へと切り替える作用を有するものである。これは、用紙が正常に分離搬送されずに、用紙が連続的に搬送されてしまった場合等に、センサー１２から得られる用紙検出信号から搬送異常を検知し、対象となる不良搬送用紙をリジェクトトレイ６側に導くためのものである。これによって正常に分離搬送されない情況が発生しても、装置の稼動を停止させることなく計数作業を継続することが可能であり、リジェクトされた用紙は後続して、給紙台３８に再設置することで計数の補正が可能となる。
【００１１】
正常に搬送された用紙は排出ローラー１９から機外に排出され、トレイ２１に積載される。センサー１５はリジェクト側に導かれた用紙、センサー１８は排出側に導かれた用紙を検出するためのセンサーである。また、センサー２２はトレイ２１上に排出された用紙を検出するための反射型センサーであって、所定枚数の計数毎に動作を休止する動作モードの場合、積載された用紙束を取り去った時にこれを検出し、再作動を促す役目を持っている。
【００１２】
プリンター２５はサーマル型のプリンターユニットであり、ロール紙に計数結果得られた情報を印字することで、受領証を発行するものである。
【００１３】
図２は、本発明による、計数機能を有する受領証発行装置の構成ブロック図である。ＣＰＵ／メモリー部４３はインターフェース回路であるＩ／Ｆ４２を介してプリンター部３８、計数部３９、表示部４０、タッチキー部４１に接続されている。またＩ／Ｆ４２はシリアル通信線を通じて外部のコンピュータに接続される。
【００１４】
図３は、本発明による、計数機能を有する受領証発行装置の表示画面を表わしている。表示画面表面はタッチキーとなっており、０から９までの数値、および複数のファンクションキー入力として使用することができる。
【００１５】
ここで、一連の操作と関連する作業の概略を説明するならば、前述の計数作業の結果、図３の表示画面の「通数」部には計数したはがきの枚数が表示されるであろう。また、「通数」の下部には、「一通の料金」に設定しておく額に「通数」を乗じた「料金」が自動計算され表示される。ここで表示画面最上部の「顧客番号」（受領相手先コード）の入力を指定して、取扱っているはがきに事前印刷されている承認番号をタッチキーから入力するならば、同番号値はシリアル通信線を介して接続されるコンピュータに送信される。コンピュータは受信した番号値からデータベース機能を利用して、この番号に対応する「顧客名」ならびに付随する他のデータを得、これを再びシリアル通信線を介して受領証発行装置に送り返す。受領証発行装置は受信したデータをＣＰＵ／メモリー部３８に取り込み、表示部４０の各所定の表示個所に表示する。なお、承認番号を入力する毎にこれをコンピュータに送信するのではなく、既にＣＰＵ／メモリー部３８内にこの認証番号に対応する顧客名ならびに付随する他のデータが保管されているのであればこれを利用することも可能であろう。
【００１６】
操作者は表示部に表示されたデータを確認、および必要に応じて補正し、次に操作キーにより印字を指示するならば、前述のプリンター部３８から図４に示す受領証、並びに受領証控えが印字出力される。
【００１７】
なお、本発明は上述の実施例に限定されるものではなく、例えば、計数手段は摩擦分離方式ではなく、空気圧を利用したシート材計数手段、もしくは光学的計数手段によってもよい。また、プリンターも、サーマル印字方式ではなく、ドットインパクト方式や、インクジェット方式、あるいは他の方式によるプリンターが採用されてもよいであろう。
【００１８】
【発明の効果】
本発明によれば、受取人による後払い制度において、承認番号毎に区分したはがきを自動的に計数し、枚数に見合う料金等を印字した受領証を自動作成することが可能となり、また、顧客名ならびに付随する他のデータをマスターデータとして１台のコンピュータに登録しておくことにより、複数台の受領証発行装置がこのマスターデータを使用することが可能となる。
【００１８】
また、本発明によれば、入力指示は数桁の認証番号で十分であり、これより漢字表記の受領証、並びに同控えが得られるため事務作業の省力化と正確性が得られる。
【図面の簡単な説明】
【図１】本発明の一実施例の計数機能を有する受領証発行装置の主要部の断面図である。
【図２】本発明の一実施例の計数機能を有する受領証発行装置の構成ブロック図であ
る。
【図３】本発明の一実施例の計数機能を有する受領証発行装置の表示画面である。
【図４】本発明の一実施例の計数機能を有する受領証発行装置のの受領証、並びに受領証控えである。
【符号の説明】
１　‥用紙　　　　　　　　　　　　　　１１‥従動ローラー
２　‥給紙ガイド板　　　　　　　　　　１２‥センサー
３　‥分離ローラー　　　　　　　　　　１３‥ソレノイド
４　‥センサー　　　　　　　　　　　　１４‥リジェクトローラー
５　‥給紙ローラー　　　　　　　　　　１５‥センサー
６　‥リジェクトトレイ　　　　　　　　１６‥爪支軸
７　‥ローラー支持部材　　　　　　　　１７‥搬送切替爪
８　‥ベルト　　　　　　　　　　　　　１８‥センサー
９　‥センサー　　　　　　　　　　　　１９‥排出ローラー
１０‥フィードローラー　　　　　　　　２０‥搬送ローラー
２１‥トレイ　　　　　　　　　　　　　３３‥リミットスイッチ
２２‥センサー　　　　　　　　　　　　３４‥プーリー
２３‥搬送ローラー　　　　　　　　　　３５‥軸受け
２４‥搬送ローラー　　　　　　　　　　３６‥ガイド軸
２５‥プリンター　　　　　　　　　　　３７‥給紙台
２６‥ベルト　　　　　　　　　　　　　３８‥プリンター部
２７‥モーター　　　　　　　　　　　　３９‥計数部
２８‥ベルト　　　　　　　　　　　　　４０‥表示部
２９‥モーター　　　　　　　　　　　　４１‥タッチキー部
３０‥モーター　　　　　　　　　　　　４２‥Ｉ／Ｆ
３１‥モータープーリー　　　　　　　　４３‥ＣＰＵ／メモリー部
３２‥ベルト
【図１】
2004030544.tif 000003
【図２】
2004030544.tif 000004
【図３】
2004030544.tif 000005
【図４】
2004030544.tif 000006